(57)【要約】【課題】リバースチルト対策において補正による色の変化を抑制する。【解決手段】映像処理回路は、複数の画素の各々に対して複数の色成分の階調値を示す入力映像信号における複数の色成分の各々について、複数の画素のうち入力映像信号に応じて液晶素子に印加される印加電圧が第１電圧を下回る第１画素と、印加電圧が第１電圧よりも大きい第２電圧を上回る第２画素との境界の一部であって、複数の画素における液晶のチルト方位で定まるリスク境界を検出するリスク境界検出部と、複数の色成分のうち少なくとも一つの色成分においてリスク境界が検出された場合、一の色成分において、第１画素の印加電圧と第２画素の印加電圧との差を小さくする第１補正処理を行い、複数の色成分のうち他の色成分において、第１画素および第２画素の少なくとも一方の印加電圧を補正する第２補正処理を行う補正部とを有する。【選択図】図１０
2013145325.tif 000002
【特許請求の範囲】
【請求項１】
複数の画素の各々に対して複数の色成分の階調値を示す入力映像信号における前記複数の色成分の各々について、前記複数の画素のうち前記入力映像信号に応じて液晶素子に印加される印加電圧が第１電圧を下回る第１画素と、前記印加電圧が前記第１電圧よりも大きい第２電圧を上回る第２画素との境界の一部であって、前記複数の画素における液晶のチルト方位で定まるリスク境界を検出するリスク境界検出部と、
前記複数の色成分のうち少なくとも一つの色成分において前記リスク境界が検出された場合、前記一の色成分において、前記第１画素の印加電圧と前記第２画素の印加電圧との差を小さくする第１補正処理を行い、前記複数の色成分のうち他の色成分において、前記第１画素および前記第２画素の少なくとも一方の印加電圧を補正する第２補正処理を行う補正部と、
前記補正部により補正された印加電圧を示す出力信号を出力する出力部と
を有する映像処理回路。
【請求項２】
前記複数の色成分のうち第１色成分において検出されたリスク境界が、前記第１色成分と異なる第２色成分において非リスク境界である場合、前記補正部は、前記第１色成分における前記第１補正処理に基づいて、前記第２色成分における前記第２補正処理を行う
ことを特徴とする請求項１に記載の映像処理回路。
【請求項３】
前記第２色成分における前記第２補正処理は、補正後の階調値が前記第１色成分の補正後の階調値と等しくなる処理である
ことを特徴とする請求項２に記載の映像処理回路。
【請求項４】
前記入力映像信号により示される階調値が所定の階調値より大きい場合、前記補正部は、前記第２補正処理を行わない
ことを特徴とする請求項３に記載の映像処理回路。
【請求項５】
前記リスク境界の前フレームからの動きを検出する動き検出部を有し、
前記補正部は、前記リスク境界検出部により検出されたリスク境界のうち、前記検出部により検出された動きが決められた条件を満たしたリスク境界に対して、前記第１補正処理を行う
ことを特徴とする請求項１ないし４のいずれか一項に記載の映像処理回路。
【請求項６】
前記出力部は、前記複数の色成分に対応した複数の電気光学装置の各々に対し、前記出力信号を出力する
ことを特徴とする請求項１ないし５のいずれか一項に記載の映像処理回路。
【請求項７】
前記リスク境界検出部は、前記複数の色成分のうち一の色成分において前記リスク境界を検出し、
他の映像処理回路におけるリスク境界の検出結果を取得する取得部を有し、
前記リスク境界検出部による検出の結果を前記他の映像処理回路に出力する結果出力部を有し、
前記補正部は、前記一の色成分について前記第１補正処理を行う
ことを特徴とする請求項１ないし５のいずれか一項に記載の映像処理回路。
【請求項８】
請求項１ないし７に記載の映像処理回路を有する電子機器。
【請求項９】
複数の画素の各々について、複数の色成分の階調値を示す入力映像信号が入力されるステップと、
前記複数の色成分の各々について、前記複数の画素のうち前記入力映像信号に応じて液晶素子に印加される印加電圧が第１電圧を下回る第１画素と、前記印加電圧が前記第１電圧よりも大きい第２電圧を上回る第２画素との境界の一部であって、前記複数の画素における液晶のチルト方位で定まるリスク境界を検出するステップと、
前記複数の色成分のうち少なくとも一つの色成分において前記リスク境界が検出された場合、前記複数の色成分の他の色成分において、前記第１画素の印加電圧と前記第２画素の印加電圧との差を小さくする第１補正処理を行うステップと、
前記複数の色成分のうち少なくとも一つの色成分において前記リスク境界が検出された場合、前記複数の色成分のうち他の色成分において、前記第１画素および前記第２画素の少なくとも一方の印加電圧を補正する第２補正処理を行うステップと、
前記第１補正処理または前記第２補正処理により補正された印加電圧を示す出力信号を出力するステップと
を有する電気光学装置の制御方法。
【発明の詳細な説明】
【技術分野】
【０００１】
本発明は、液晶パネルにおける表示上の不具合を低減する技術に関する。
【背景技術】
【０００２】
プロジェクター等の電子機器に用いられる液晶パネルにおいては、高解像度、及び小型化の相反する特性が求められている。これらの特性を実現するために画素の高精細化が進んでいるが、それに伴って、隣接画素間の階調差により発生する表示不具合（リバースチルトドメインによる）が発生する場合がある。
【０００３】
表示不具合は、静止画および動画の双方で発生する場合がある。これらの表示不具合を改善するため、液晶素子に印加される電圧（書き込まれる階調値）を補正する技術が知られている。特許文献１および２は、静止画における表示不具合を改善する技術を開示している。特許文献３および４は、動画における表示不具合を改善する技術を開示している。
【先行技術文献】
【特許文献】
【０００４】
【特許文献１】特開２００９−２３７３６６号公報
【特許文献２】特開２００９−１０４０５３号公報
【特許文献３】特開２０１０−１９１１５７号公報
【特許文献４】特開２０１１−５３３８０号公報
【発明の概要】
【発明が解決しようとする課題】
【０００５】
例えば、無彩色画素に対して単色成分だけ補正されると、補正による色づき（色の変化）が問題となってしまう。特許文献１〜４は、いずれも単色画像の解析結果を単色画像の出力に反映させているものであった。
これに対し本発明は、補正による色の変化を抑制する技術を提供する。
【課題を解決するための手段】
【０００６】
本発明は、複数の画素の各々に対して複数の色成分の階調値を示す入力映像信号における前記複数の色成分の各々について、前記複数の画素のうち前記入力映像信号に応じて液晶素子に印加される印加電圧が第１電圧を下回る第１画素と、前記印加電圧が前記第１電圧よりも大きい第２電圧を上回る第２画素との境界の一部であって、前記複数の画素における液晶のチルト方位で定まるリスク境界を検出するリスク境界検出部と、
前記複数の色成分のうち少なくとも一つの色成分において前記リスク境界が検出された場合、前記一の色成分において、前記第１画素の印加電圧と前記第２画素の印加電圧との差を小さくする第１補正処理を行い、前記複数の色成分のうち他の色成分において、前記第１画素および前記第２画素の少なくとも一方の印加電圧を補正する第２補正処理を行う補正部と、前記補正部により補正された印加電圧を示す出力信号を出力する出力部とを有する映像処理回路を提供する。
この映像処理回路によれば、単色成分に対してのみ補正する場合と比較して、補正による色づきを抑制することができる。
【０００７】
好ましい態様において、前記複数の色成分のうち第１色成分において検出されたリスク境界が、前記第１色成分と異なる第２色成分において非リスク境界である場合、前記補正部は、前記第１色成分における前記第１補正処理に基づいて、前記第２色成分における前記第２補正処理を行ってもよい。
この映像処理回路によれば、第１色成分におけるリバースチルトドメインの発生を抑制しつつ、補正による色づきを抑制することができる。
【０００８】
別の好ましい態様において、前記第２色成分における前記第２補正処理は、補正後の階調値が前記第１色成分の補正後の階調値と等しくなる処理であってもよい。
この映像処理回路によれば、補正後の画素を無彩色とすることができる。
【０００９】
さらに別の好ましい態様において、前記入力映像信号により示される階調値が所定の階調値より大きい場合、前記補正部は、前記第２補正処理を行わなくてもよい。
この映像処理回路によれば、補正により階調値が大幅に変更されてしまうことを抑制することができる。
【００１０】
さらに別の好ましい態様において、前記リスク境界の前フレームからの動きを検出する動き検出部を有し、前記補正部は、前記リスク境界検出部により検出されたリスク境界のうち、前記検出部により検出された動きが決められた条件を満たしたリスク境界に対して、前記第１補正処理を行ってもよい。
この映像処理回路によれば、よりリバースチルトドメインが発生する可能性が低い画素に対して補正を行わずに処理負荷を低減できる。
【００１１】
さらに別の好ましい態様において、前記出力部は、前記複数の色成分に対応した複数の電気光学装置の各々に対し、前記出力信号を出力してもよい。
この映像処理回路によれば、単一の映像処理回路で、複数の電気光学装置を制御することができる。
【００１２】
さらに別の好ましい態様において、前記リスク境界検出部は、前記複数の色成分のうち一の色成分において前記リスク境界を検出し、他の映像処理回路におけるリスク境界の検出結果を取得する取得部を有し、前記リスク境界検出部による検出の結果を前記他の映像処理回路に出力する結果出力部を有し、前記補正部は、前記一の色成分について前記第１補正処理を行ってもよい。
この映像処理回路によれば、複数の電気光学装置と一対一に対応する複数の映像処理回路が用いられる場合に、補正による色づきを抑制することができる。
【００１３】
さらに、本発明は、上記の映像処理回路を有する電子機器を提供する。
この電子機器によれば、単色成分に対してのみ補正する場合と比較して、補正による色づきを抑制することができる。
【００１４】
さらに、本発明は、複数の画素の各々について、複数の色成分の階調値を示す入力映像信号が入力されるステップと、前記複数の色成分の各々について、前記複数の画素のうち前記入力映像信号に応じて液晶素子に印加される印加電圧が第１電圧を下回る第１画素と、前記印加電圧が前記第１電圧よりも大きい第２電圧を上回る第２画素との境界の一部であって、前記複数の画素における液晶のチルト方位で定まるリスク境界を検出するステップと、前記複数の色成分のうち少なくとも一つの色成分において前記リスク境界が検出された場合、前記複数の色成分の他の色成分において、前記第１画素の印加電圧と前記第２画素の印加電圧との差を小さくする第１補正処理を行うステップと、前記複数の色成分のうち少なくとも一つの色成分において前記リスク境界が検出された場合、前記複数の色成分のうち他の色成分において、前記第１画素および前記第２画素の少なくとも一方の印加電圧を補正する第２補正処理を行うステップと、前記第１補正処理または前記第２補正処理により補正された印加電圧を示す出力信号を出力するステップとを有する電気光学装置の制御方法を提供する。
この制御方法によれば、単色成分に対してのみ補正する場合と比較して、補正による色づきを抑制することができる。
【図面の簡単な説明】
【００１５】
【図１】液晶表示装置の概略構成を示す図。
【図２】画素１１１の等価回路を示す図。
【図３】リバースチルトドメインによる表示不具合を例示する図。
【図４】液晶素子１２０におけるＶ−Ｔ特性を例示する図。
【図５】液晶分子の初期配向状態を例示する図。
【図６】リバースチルトドメインが発生する例を説明する図。
【図７】リバースチルトドメインが発生する別の例を説明する図。
【図８】補正の問題点を説明する図。
【図９】第１実施形態に係る液晶表示装置１の構成を示すブロック図。
【図１０】映像処理回路３０の構成を示すブロック図。
【図１１】液晶表示装置１の動作を示すタイミングチャート。
【図１２】映像処理回路３０の動作を示すフローチャート。
【図１３】本実施形態による補正処理の例を示す図。
【図１４】本実施形態による補正処理の別の例を示す図。
【図１５】第２実施形態に係る映像処理回路３０の構成を示す図。
【図１６】第２実施形態に係る映像処理回路３０の動作を示すフローチャート。
【図１７】液晶表示装置１の別の構成例を示すブロック図。
【発明を実施するための形態】
【００１６】
１．第１実施形態
１−１．液晶表示装置の構成と問題点
実施形態に係る装置の構成およびその動作の説明に先立ち、液晶表示装置の構成および問題点について説明する。
【００１７】
１−１−１．液晶表示装置の概略
図１は、液晶表示装置の概略構成を示す図である。この液晶表示装置は、液晶パネル１００と、走査線駆動回路１３０と、データ線駆動回路１４０とを有する。
【００１８】
液晶パネル１００は、供給される信号に応じて画像を表示する装置である。液晶パネル１００は、ｍ行ｎ列のマトリクス状に配置された画素１１１を有する。画素１１１は、走査線駆動回路１３０及びデータ線駆動回路１４０から供給される信号に応じた光学状態を示す。液晶パネル１００は、複数の画素１１１の光学状態を制御することにより画像を表示する。
【００１９】
液晶パネル１００は、素子基板１００ａと、対向基板１００ｂと、液晶１０５とを有する。素子基板１００ａと対向基板１００ｂとは、一定の間隙を保って貼り合わせられている。この間隙に、液晶１０５が挟まれている。
【００２０】
素子基板１００ａは、対向基板１００ｂとの対向面において、ｍ行の走査線１１２およびｎ列のデータ線１１４を有する。走査線１１２はＸ（横）方向に沿って、データ線１１４はＹ（縦）方向に沿って、それぞれ設けられており、互いに絶縁されている。一の走査線１１２を他の走査線１１２と区別するときは、図において上から順に第１、第２、第３、…、第（ｍ−１）、および第ｍ行の走査線１１２という。同様に、一のデータ線１１４を他のデータ線１１４と区別するときは、図において左から順に第１、第２、第３、…、第（ｎ−１）、第ｎ列のデータ線１１４という。画素１１１は、Ｘ軸およびＹ軸に垂直な位置にある視点からみたときに、走査線１１２およびデータ線１１４の交差に対応して設けられている。
【００２１】
図２は、画素１１１の等価回路を示す図である。画素１１１は、ＴＦＴ１１６と、液晶素子１２０と、保持容量１２５とを有する。液晶素子１２０は、画素電極１１８と、液晶１０５と、コモン電極１０８とを有する。画素電極１１８は、画素１１１毎に個別に設けられた電極である。コモン電極１０８は、すべての画素１１１に共通の電極である。画素電極１１８は素子基板１００ａに、コモン電極１０８は対向基板１００ｂに、それぞれ設けられている。液晶１０５は、画素電極１１８およびコモン電極１０８に挟まれている。コモン電極１０８には、コモン電圧ＬＣｃｏｍが印加される。
【００２２】
ＴＦＴ１１６は、画素電極１１８への電圧の印加を制御するスイッチング素子であり、この例では、ｎチャネル型の電界効果トランジスターである。ＴＦＴ１１６は、画素１１１毎に個別に設けられている。第ｉ行第ｊ列のＴＦＴ１１６のゲートは第ｉ行の走査線１１２に、ソースは第ｊ列のデータ線１１４に、ドレインは画素電極１１８に、それぞれ接続されている。保持容量１２５は、一端が画素電極１１８に、他端が容量線１１５に、それぞれ接続されている。容量線１１５には、時間的に一定の電圧が印加される。
【００２３】
第ｉ行の走査線１１２にＨ（High）レベルの電圧（以下「選択電圧」という）が印加されると、第ｉ行第ｊ列のＴＦＴ１１６はオン状態となり、ソースとドレインが導通する。このとき、第ｊ列のデータ線１１４に、第ｉ行第ｊ列の画素１１１の階調値（データ）に応じた電圧（以下「データ電圧」という）が印加されると、データ電圧は、ＴＦＴ１１６を介して第ｉ行第ｊ列の画素電極１１８に印加される。
【００２４】
その後、第ｉ行の走査線１１２にＬ（Low）レベルの電圧（以下「非選択電圧」という）が印加されると、ＴＦＴ１１６はオフ状態になり、ソースとドレインは高インピーダンス状態となる。ＴＦＴ１１６がオン状態のとき画素電極１１８に印加された電圧は、液晶素子１２０の容量性および保持容量１２５によって、ＴＦＴ１１６がオフ状態になった後も保持される。
【００２５】
液晶素子１２０には、データ電圧とコモン電圧との電位差に相当する電圧が印加される。液晶１０５の分子配向状態は、液晶素子１２０に印加される電圧に応じて変化する。画素１１１の光学状態は、液晶１０５の分子配向状態に応じて変化する。例えば、液晶パネル１００が透過型のパネルである場合、変化する光学状態は透過率である。
【００２６】
再び図１を参照する。走査線駆動回路１３０は、ｍ本の走査線１１２の中から一の走査線１１２を順次排他的に選択する（すなわち走査線１１２を走査する）回路である。具体的には、走査線駆動回路１３０は、走査制御回路２０から出力される制御信号Ｙｃｔｒに従って、第ｉ行の走査線１１２に、走査信号Ｙｉを供給する。この例で、走査信号Ｙｉは、選択される走査線１１２に対しては選択電圧となり、選択されない走査線１１２に対しては非選択電圧となる信号である。
【００２７】
データ線駆動回路１４０は、ｎ本のデータ線１１４にデータ電圧を示す信号（以下「データ信号」という）を出力する回路である。具体的には、データ線駆動回路１４０は、映像処理回路３０から供給されるデータ信号Ｖｘを、制御信号Ｘｃｔｒに従ってサンプリングし、第１〜第ｎ列のデータ線１１４にデータ信号Ｘ１〜Ｘｎとして出力する。なお、本説明において電圧については、液晶素子１２０の印加電圧を除き、特に明記しない限り図示省略した接地電位を基準（ゼロＶ）として表す。
【００２８】
液晶パネル１００に表示される画像は、所定の周期で書き換えられる。以下、この書き換えの周期を「フレーム」という。例えば、画像が６０Ｈｚで書き換えられる場合、１フレームは約１６．７ｍｓｅｃである。走査線駆動回路１３０が１フレームに１回、ｍ本の走査線１１２を走査し、データ線駆動回路１４０がデータ信号を出力することにより、液晶パネル１００に表示される画像が書き換えられる。
【００２９】
１−１−２．リバースチルトドメインによる表示不具合
図３は、リバースチルトドメインによる表示不具合を例示する図である。図３は、映像信号Ｖｉｄ−ｉｎにより示される画像が、白画素を背景として黒画素が連続する黒パターンがフレーム毎に１画素ずつ右方向に移動する例を示している。この場合、黒パターンの左端縁部（動きの後縁部）において黒画素から白画素に変化すべき画素が白画素にならず中間階調の画素になってしまうという一種の尾引き現象が顕在化する。これが表示不具合の例である。
【００３０】
この表示不具合は、液晶素子１２０中の液晶分子の配向状態が不安定であるときに、横電界の影響により、印加電圧に応じた配向状態になりにくくなることが原因の一つであると考えられている。ここで、「横電界」とは、素子基板１００ａの面に沿った方向（ＸＹ平面に沿った方向）の電界をいう。これに対し画素電極１１８とコモン電極１０８との間に印加される電圧による電界を「縦電界」という。液晶分子の配向状態について説明する前に、まず、液晶素子１２０における印加電圧と透過率との関係を説明する。
【００３１】
図４は、液晶素子１２０における印加電圧と透過率との関係（Ｖ−Ｔ特性）を例示する図である。この例で、液晶１０５はＶＡ方式であり、電圧無印加時において液晶素子１２０は黒状態（透過率ゼロ）となるノーマリーブラックモードである。印加電圧ＶがＶｂｋ≦Ｖ≦Ｖｔｈ１の範囲（以下この範囲を「電圧範囲Ａ」という。この例ではＶｂｋ＝０Ｖ）にある場合、相対透過率τは０％≦τ≦１０％の範囲にある（以下この範囲を「階調範囲ａ」という）。印加電圧ＶがＶｔｈ１≦Ｖ≦Ｖｔｈ２の範囲にある場合、相対透過率τは１０％≦τ≦９０％の範囲にある（以下この範囲を「階調範囲ｄ」という）。印加電圧ＶがＶｔｈ２≦Ｖ≦Ｖｗｔの範囲（以下この範囲を「電圧範囲Ｂ」という）にある場合、相対透過率τは９０％≦τ≦１００％の範囲にある（以下この範囲を「階調範囲ｂ」という）。
【００３２】
液晶分子の配向状態が不安定な状態であるときとは、印加電圧が低いとき、この例ではＶ＜Ｖｃ１のときである。印加電圧がＶｃ１を下回るときは、印加電圧による縦電界の規制力が配向膜による規制力と比較して弱いので、液晶分子の配向状態は、わずかな外的要因によって乱れやすい。また、その後、印加電圧がＶｃ１以上になったときに、その印加電圧に応じて液晶分子が傾斜しようとしても、応答に時間がかかりやすい。逆に、印加電圧がＶｃ１以上であれば、液晶分子が印加電圧に応じて傾斜し始める（透過率が変化し始める）ので、液晶分子の配向状態は安定状態にあるといえる。このため、電圧Ｖｃ１は、透過率で規定した閾値Ｖｔｈ１よりも低い。
【００３３】
このように考えた場合、画像の書き換え前において液晶分子が不安定な状態にあった画素（この例では黒画素）は、画像の書き換えによって黒画素と白画素とが隣接することになったときの横電界の影響によって、リバースチルトドメインが発生しやすい状況にあるということができる。ただし、液晶分子の初期配向状態を考慮して検討すると、黒画素と白画素との位置関係によってリバースチルトドメインが発生する場合と発生しない場合とがある。そこで次に、液晶分子の初期配向状態について説明する。
【００３４】
図５は、液晶分子の初期配向状態を例示する図である。図５（ａ）は、隣接する２行２列の画素を示している。図５（ｂ）は、液晶パネル１００を、図５（ａ）におけるｐ−ｑ線を含む垂直面で破断したときの断面模式図である。この例で、液晶分子は、印加電圧がゼロである状態において、チルト角がθａで、チルト方位角がθｂ（この例では４５°）となる状態に初期配向している。チルト角θａは、素子基板１００ａの基板法線Ｓｖを基準にして液晶分子の長軸Ｓａがなす角度である。チルト角θａは、図５（ｂ）においてｐからｑに向かう向きを正方向とする。画素電極１１８の側から平面視したときに、チルト角θａの正方向に向かう向きを、チルト方位の上流から下流に向かう向きという。図５（ａ）の例では、左下がチルト方位の上流側であり、右上が下流側である。チルト方位角θｂは、図５（ａ）においてＸ軸からＹ軸に向かう向き（時計回りの向き）を正方向とする。
【００３５】
図６は、リバースチルトドメインが発生する例を説明する図である。図６（ａ）は、書き換え前後の画素の階調を例示する図である。この例では、第（ｎ−１）フレームにおいて２行２列の画素がすべて黒画素の状態から、第ｎフレームにおいて、左下の１画素だけが白画素の状態に書き換えられる。
【００３６】
図６（ｂ）は、第ｎフレームにおける液晶分子の配向状態を示す模式図である。図６（ｂ）は、液晶パネル１００を、図６（ａ）におけるｐ−ｑ線を含む垂直面で破断したときの断面模式図である。液晶分子は、印加電圧が大きくなると、チルト角θａが大きくなる方向に（液晶分子が電界に対して垂直な方向に向くように）配向状態が変化する。しかし、白画素の画素電極１１８（Ｗｔ）と黒画素の画素電極１１８（Ｂｋ）との間隙で生じる電位差は、白画素の画素電極１１８（Ｗｔ）とコモン電極１０８との間で生じる電位差と同程度である上に、画素電極同士の間隙が画素電極１１８とコモン電極１０８との間隙よりも狭い。したがって、画素電極１１８（Ｗｔ）と画素電極１１８（Ｂｋ）との間隙で生じる横電界は、画素電極１１８（Ｗｔ）とコモン電極１０８との間隙で生じる縦電界よりも強い。
【００３７】
左下の画素は、第（ｎ−１）フレームにおいて黒画素であり、液晶分子の配向状態は不安定である。このため、第ｎフレームにおいて画素電極１１８に白に相当する電圧が印加されても、液晶分子が電界に応じて傾斜するまでには時間がかかる。さらに、白画素においては、自画素の縦電界よりも、隣接する黒画素との間の横電界の方が強いため、液晶分子は、横電界に垂直な方向を向くように傾斜し、結果的に、白画素と黒画素との境界部分において、チルト角θａが負になる液晶分子（図において符号Ｒｖを付している）が発生する。
【００３８】
先にリバースチルト状態となった液晶分子Ｒｖは、縦電界に応じて破線のように基板水平方向に傾斜しようとする他の液晶分子の動きに悪影響を与える。このため、白に変化すべき画素においてリバースチルトが発生する領域は、図６（ｃ）に示すように、白に変化すべき画素と黒画素との間隙にとどまらず、その間隙から白に変化すべき画素を浸食する形で広範囲に拡がる。このように、負のチルト角を有する液晶分子の状態をリバースチルトといい、リバースチルトが存在する領域をリバースチルトドメインという。
【００３９】
この例ではチルト方位角θｂが４５度であるので、黒から白に変化しようとする着目画素の上隣りおよび右隣りが黒画素であった場合、着目画素では、右辺および上辺に沿った内周領域にてリバースチルトが発生するといえる（図６（ｃ））。
【００４０】
図７は、リバースチルトドメインが発生する別の例を説明する図である。図７（ａ）は、書き換え前後の画素の階調を例示する図である。この例では、第（ｎ−１）フレームにおいて２行２列の画素がすべて黒画素の状態から、第ｎフレームにおいて、右上の１画素だけが白画素の状態に書き換えられる。
【００４１】
この例では、第ｎフレームにおいて、黒画素の画素電極１１８（Ｂｋ）と白画素の画素電極１１８（Ｗｔ）との間隙では、画素電極１１８（Ｗｔ）とコモン電極１０８との間隙の縦電界よりも強い横電界が発生する。この横電界によって、黒画素において白画素に隣接する側の液晶分子Ｒｖは、縦電界にしたがって傾斜しようとする他の液晶分子よりも時間的に先んじて配向が変化して、リバースチルト状態となる。しかし、黒画素では縦電界が（ｎ−１）フレームから変化しないので、他の液晶分子に影響をほとんど与えない。このため、黒画素から変化しない画素においてリバースチルトが発生する領域は、図７（ｃ）に示すように、図６（ｃ）の例と比較して無視できる程度に狭い。
【００４２】
一方、黒から白に変化する画素（右上の画素）では、液晶分子の初期配向方向が横電界の影響を受けにくい方向であるので、縦電界が加わっても、リバースチルト状態となる液晶分子がほとんど存在しない。このため、図７の右上の画素においては、表示品位の劣化が発生しない。
【００４３】
以上の説明から、第ｎフレームにおいてリバースチルトドメインが発生する条件は以下のとおりである。
（１）第ｎフレームにおいて、隣接する２つの画素の印加電圧の差がしきい値より大きい。なお、これら隣接する２つの画素のうち、より暗い階調の画素を「暗画素」といい、より明るい階調の画素を「明画素」という。黒画素および白画素は、暗画素および明画素の一例である。ノーマリーブラックの場合、暗画素が印加電圧が低く、明画素が印加電圧が高い。
（２）これら２つの隣接する画素のうち、印加電圧が高い画素が、印加電圧の低い画素に対して、チルト方位の上流側に位置する。
（３）印加電圧が高い画素が、前フレームにおいて液晶分子の配向が不安定な状態であった。
【００４４】
上記（１）〜（３）の条件がすべて満たされると、印加電圧が高い画素においてリバースチルトドメインが発生する。なお、例えば白画素を背景とした黒画素の領域がフレーム毎に２画素以上ずつ移動するとき、液晶素子の応答時間が表示画面が更新される時間間隔（１フレーム期間）より短ければ、図３で説明したような尾引き現象は顕在化しない（または、視認されにくい）。この理由は、次のように考えられる。あるフレームにおいて、白画素と黒画素とが隣接したときに、その白画素でリバースチルトドメインが発生する。しかしリバースチルトドメインが発生する画素は離散的であるので、視覚的に目立たない。図３で説明したように、暗画素と明画素とが隣接する境界が、前フレームから１画素分だけ移動しているときには、より一層リバースチルトドメインによる表示不具合が視認されやすくなる。
【００４５】
１−１−３．リバースチルトドメインの抑制
リバースチルトドメインの発生を抑制するには、上記（１）〜（３）の条件のうち少なくとも１つが満たされなくなる補正処理を行えばよい。例えば、映像信号Ｖｉｄ−ｉｎが、条件（１）〜（３）を満たす、隣接する２つの画素があることを示していた場合、これら２つの画素の印加電圧の差を小さくするように、印加電圧が補正される。ここで、映像信号Ｖｉｄ−ｉｎにより条件（１）および（２）を満たすことが示される暗画素と明画素との境界を「リスク境界」という。より具体的には、暗画素が階調範囲ａ（電圧範囲Ａ）にあり、明画素が階調範囲ｂ（電圧範囲Ｂ）にある場合、すなわち、暗画素と明画素の電圧差が（Ｖｔｈ２−Ｖｔｈ１）以上である場合、かつ、明画素がチルト方位の下流にある場合に、リスク境界と判断される。また、リスク境界ではない境界を「非リスク境界」という。
【００４６】
印加電圧の補正は、暗画素および明画素の少なくとも一方に対して行われる。すなわち、暗画素の印加電圧を上げるように補正してもよいし、明画素の電圧を下げるように補正してもよいし、その両方を行ってもよい。補正によって暗画素と明画素との印加電圧の差がしきい値を下回れば、リバースチルトドメインは発生しない。しかし、この補正には、次のような問題点がある。
【００４７】
図８は、補正の問題点を説明する図である。図８には、画素Ａ、画素Ｂ、および画素Ｃという、隣接する３つの画素が例示されている。図８（ａ）は補正前の状態を示している。画像はカラー画像であり、各画素のデータは、赤（Ｒ）、緑（Ｇ）、および青（Ｂ）の３つの色成分からなる。各色成分のデータは２５６階調で表される。このカラー画像は、色成分Ｒ、色成分Ｇ、および色成分Ｂをそれぞれ表示する３つの液晶パネル１００を用いて表示される。画素Ａのデータは、（Ｒ，Ｇ，Ｂ）＝（０，２５５，０）であり、緑を示している。画素Ｂおよび画素Ｃのデータは、（Ｒ，Ｇ，Ｂ）＝（０，０，０）であり、黒を示している。
【００４８】
まず、色成分Ｒおよび色成分Ｂについてみると、画素Ａ、画素Ｂおよび画素Ｃについてはいずれも階調値は０であり、リスク境界は存在しない。色成分Ｇについてみると、画素Ａについては階調値が２５５であり、画素Ｂについては階調値が０であり、階調値の差すなわち印加電圧の差がしきい値を超えている。すなわち、画素Ａと画素Ｂとの境界がリスク境界である。
【００４９】
ここで、リスク境界が検出された色成分Ｇについてのみ階調値の補正が行われる場合を考える。この例では、リスク境界に隣接する暗画素（画素Ｂ）の階調値が所定値（１００）に上げられる。図８（ｂ）は補正後の状態を示している。補正後の画素Ｂのデータは、（Ｒ，Ｇ，Ｂ）＝（０，１００，０）であり、緑を示している。すなわち、画素Ｂは、補正前は黒であったのに対し、補正後は緑であり、色が変わってしまう。特にこの例のように補正前が無彩色であったのに補正後に有彩色になってしまうと、補正された画素が視認されやすくなってしまう場合があるという問題がある。
【００５０】
１−２．装置構成
図９は、第１実施形態に係る液晶表示装置１（電気光学装置の一例）の構成を示すブロック図である。液晶表示装置１は、カラー画像を表示する装置であり、例えばプロジェクターに用いられる。液晶表示装置は、液晶パネル１００、走査線駆動回路１３０、およびデータ線駆動回路１４０を３組有する。各組は、それぞれ、色成分Ｒ、色成分Ｇ、および色成分Ｂに対応している。３つの液晶パネル１００を区別するときは、液晶パネル１００Ｒのように添字を用いて区別する。走査線駆動回路１３０およびデータ線駆動回路１４０、並びに各種の信号についても同様である。
【００５１】
制御回路１０は、上位装置から供給される映像信号Ｖｉｄ−ｉｎおよび同期信号Ｓｙｎｃに応じて走査線駆動回路１３０およびデータ線駆動回路１４０を制御する信号を出力する。映像信号Ｖｉｄ−ｉｎは、液晶パネル１００における各画素の階調値をそれぞれ指定するデジタルデータである。映像信号Ｖｉｄ−ｉｎは、同期信号Ｓｙｎｃと同期して供給される。同期信号は、垂直走査信号、水平走査信号およびドットクロック信号（いずれも図示省略）を含んでいる。この例で、映像信号Ｖｉｄ−ｉｎの周波数は６０Ｈｚである。すなわち、映像信号Ｖｉｄ−ｉｎにより示される画像は、１６．６７ミリ秒毎に書き換えられる。
【００５２】
なお、映像信号Ｖｉｄ−ｉｎは直接的には階調値を指定するが、階調値に応じて液晶素子に印加される電圧（以下「印加電圧」という）が定まるので、映像信号Ｖｉｄ−ｉｎは液晶素子の印加電圧を指定するものといえる。
【００５３】
制御回路１０は、走査制御回路２０と映像処理回路３０とを有する。走査制御回路２０は、制御信号ＣｔｒＸ、制御信号ＣｔｒＹ等、各種の制御信号を生成して、同期信号Ｓｙｎｃに同期して各部を制御する。映像処理回路３０は、デジタルの映像信号Ｖｉｄ−ｉｎを処理して、各色成分毎にアナログのデータ信号Ｖｘを出力する。映像信号Ｖｉｄ−ｉｎは、ａ個（ａは２以上の自然数、この例ではａ＝ｍ×ｎ）の画素の各々について、ｂ色（ｂは２以上の自然数、この例ではｂ＝３）の色成分の階調値を示す入力映像信号の一例である。
【００５４】
図１０は、映像処理回路３０の構成を示すブロック図である。映像処理回路３０は、遅延回路３１と、リスク境界検出部３２と、補正処理部３３と、Ｄ／Ａ変換器３４〜３６を有する。
【００５５】
遅延回路３１は、ＦＩＦＯ（Ｆｉｒｓｔ  Ｉｎ  Ｆｉｒｓｔ  Ｏｕｔ：先入れ先出し）メモリーや多段のラッチ回路などにより構成され、上位装置から供給される映像信号Ｖｉｄ−ｉｎを蓄積して、所定時間経過後に読み出して映像信号Ｖｉｄ−ｄとして出力するものである。なお、遅延回路３１における蓄積および読出は、走査制御回路２０によって制御される。
【００５６】
リスク境界検出部３２は、映像信号Ｖｉｄ−ｉｎを解析し、リスク境界を検出する。より詳細には、リスク境界検出部３２は、各色成分について、第１画素と第２画素との境界の一部であって、液晶１０５のチルト方位で定まるリスク境界を検出する。第１画素とは、映像信号Ｖｉｄ−ｉｎにより示される階調値に応じて液晶素子１２０に印加される印加電圧が第１電圧（例えば図４のＶｔｈ１）を下回る画素（暗画素）である。第２画素とは、印加電圧が第２電圧（例えばＶｔｈ２）を上回る画素（明画素）である。なお、印加電圧とは、データ電圧Ｖｘとコモン電圧ＬＣｃｏｍとの差に相当する電圧である。
【００５７】
さらに具体的には、リスク境界検出部３２は、第ｉ行および第（ｉ＋１）行の２行分のデータを記憶するメモリー（図示略）を有する。リスク境界検出部３２は、第ｉ行第ｊ列を対象画素として、
（ａ）対象画素の階調値が階調範囲ａ（図４）にあり、かつ
（ｂ）対象画素の左の画素または対象画素の下の画素、すなわち第ｉ行第（ｊ−１）列の画素または第（ｉ＋１）行第ｊ列の画素の階調値が階調範囲ｂにある
という条件が満たされているか否か判断する。この条件の判断は、色成分毎に行われる。この条件が満たされていると判断された場合、リスク境界検出部３２は、対象画素がリスク境界に隣接する暗画素であることを示す信号を出力する。例えば、対象画素の色成分Ｒについて、リスク境界に隣接する暗画素であると判断された場合、リスク境界検出部３２は、Ｈレベルのフラグ信号Ｒｉｓｋ＿ＥｄｇｅＲを出力する。あるいは、対象画素の色成分Ｒについて、リスク境界に隣接する暗画素でないと判断された場合、リスク境界検出部３２は、Ｌレベルのフラグ信号Ｒｉｓｋ＿ＥｄｇｅＲを出力する。他の色成分についても同様である。なお、この例では、リスク境界検出部３２は、厳密にいうとリスク境界に隣接する暗画素を検出していることになるが、これはリスク境界を検出していることと同義である。また、フラグ信号Ｒｉｓｋ＿Ｅｄｇｅは、色成分Ｒ、色成分Ｇ、および色成分Ｂを有する。特定の色成分のフラグ信号について説明する場合、フラグ信号の符号の末尾に色成分を示す符号（Ｒ、Ｇ、またはＢ）を付加する。特定の色成分によらない説明をする場合、フラグ信号の符号の末尾に色成分を示す符号は付加しない。
【００５８】
また、リスク境界検出部３２は、対象画素について、少なくとも１つの色成分でリスク境界に隣接する明画素であると判断された場合、リスク境界に隣接する明画素であると判断されていない色成分についてＨレベルのフラグ信号ｃｏｍ＿Ｅｄｇｅを出力する。ある画素のある色成分についてリスク境界に隣接する明画素であると判断された場合において、その画素の、リスク境界に隣接する明画素であると判断されていない色成分については、「みなしリスク境界」に隣接する画素である、という。すなわち、ある色成分においてリスク境界と判断された境界は、別の色成分において「みなしリスク境界」である。対象画素について、すべての色成分でリスク境界に隣接する画素でないと判断された場合、リスク境界検出部３２は、Ｌレベルのフラグ信号ｃｏｍ＿Ｅｄｇｅを出力する。なお、フラグ信号ｃｏｍ＿Ｅｄｇｅは、色成分Ｒ、色成分Ｇ、および色成分Ｂを有する。特定の色成分のフラグ信号について説明する場合、フラグ信号の符号の末尾に色成分を示す符号（Ｒ、Ｇ、またはＢ）を付加する。特定の色成分によらない説明をする場合、フラグ信号の符号の末尾に色成分を示す符号は付加しない。
【００５９】
補正処理部３３は、補正対象となる画素の映像信号Ｖｉｄ−ｄについて、リバースチルトが発生する可能性を低減させる補正を行う。より詳細には、補正処理部３３は、複数の色成分のうち少なくとも一つの色成分においてリスク境界が検出された場合、リスク境界が検出された色成分については、暗画素の印加電圧と明画素の印加電圧との差を小さくする補正処理（第１補正処理の一例）を行う。さらに、補正処理部３３は、ある色成分でリスク境界が検出された場合においてリスク境界が検出されていない他の色成分については、リスク境界が検出された色成分における補正に基づいて、映像信号の補正処理（第２補正処理の一例）を行う。この例で、補正対象となる画素は、リスク境界に隣接する暗画素である。補正処理部３３に入力されるフラグ信号Ｒｉｓｋ＿ＥｄｇｅがＨレベルのとき、その画素のその色成分が補正対象となる。補正処理部３３により行われる補正は、暗画素の階調値を、所定の階調値Ｃｒｄにする処理である。階調値Ｃｒｄは、図１０の補正電圧に相当する階調値である。補正電圧は、図４のしきい値電圧Ｖｔｈ１とＶｔｈ２との間の電圧値を有する。さらに、補正処理部３３は、みなしリスク境界に隣接すると判断された色成分についても、リスク境界に隣接すると判断された色成分の補正に応じた補正を行う。具体的には、補正処理部３３は、補正後の階調値がリスク境界が検出された色成分の補正後の階調値と等しくなるように補正する。補正処理部３３は、補正された映像信号Ｖｉｄ−ｏｕｔを色成分毎に出力する。なお、補正対象とならない画素については、補正処理部３３は、映像信号Ｖｉｄ−ｄを補正せずに映像信号Ｖｉｄ−ｏｕｔとして出力する。また、映像信号Ｖｉｄ−ｏｕｔは、色成分Ｒ、色成分Ｇ、および色成分Ｂを有する。特定の色成分の映像信号について説明する場合、映像信号の符号の末尾に色成分を示す符号（Ｒ、Ｇ、またはＢ）を付加する。特定の色成分によらない説明をする場合、映像信号の符号の末尾に色成分を示す符号は付加しない。
【００６０】
Ｄ／Ａ変換器３４〜３６は、補正処理部３３により補正された印加電圧を示す出力信号を出力する出力部の一例である。この例で、Ｄ／Ａ変換器３４〜３６は、３色の色成分（Ｒ、Ｇ、およびＢ）に対応した液晶パネル１００Ｒ、１００Ｇ、および１００Ｂの３つの液晶パネルに対して、それぞれ、データ信号ＶｘＲ、ＶｘＧ、およびＶｘＢを出力する。Ｄ／Ａ変換器３４〜３６は、デジタルデータを示す映像信号Ｖｉｄ−ｏｕｔを、アナログのデータ信号Ｖｘに変換する。この例では、面反転方式が用いられており、データ信号Ｖｘの極性は、液晶パネル１００で１フレーム毎に切り替えられる。なお、データ信号Ｖｘは、色成分Ｒ、色成分Ｇ、および色成分Ｂを有する。特定の色成分の映像信号について説明する場合、データ信号の符号の末尾に色成分を示す符号（Ｒ、Ｇ、またはＢ）を付加する。特定の色成分によらない説明をする場合、データ信号の符号の末尾に色成分を示す符号は付加しない。
【００６１】
１−３．動作
図１１は、液晶表示装置１の動作を示すタイミングチャートである。この例では、１フレームが４つのフィールドに分割される、いわゆる４倍速駆動が行われる。例えば、映像信号Ｖｉｄ−ｉｎにより示される画像が６０Ｈｚで更新される場合、１フレームは約１６．７ミリ秒である。この場合、データ信号Ｖｘは２４０Ｈｚの信号であり、１フィールドは約４．１７ミリ秒である。
【００６２】
各フィールドにおいて、走査線駆動回路１３０は、ｍ本の走査線１１２を順次排他的に選択する走査信号Ｙｉを出力する。データ線駆動回路１４０は、第ｉ行の走査線１１２が選択されているときに、第ｉ行第１〜ｎ列の画素のデータ信号Ｖｘをサンプリングし、データ信号Ｘ１〜Ｘｎとして出力する。データ信号Ｖｘの電圧は、奇数フィールドにおいて正極性であり、偶数フィールドにおいて負極性である。データ信号Ｖｘの振幅の中間電位は電位Ｖｃｎｔである。いわゆるプッシュダウン（フィードスルー）の影響を考慮し、コモン電圧ＬＣｃｏｍは、中間電位Ｖｃｎｔよりも低い値に設定されている。
【００６３】
図１２は、映像処理回路３０の動作を示すフローチャートである。ステップＳ１００において、映像処理回路３０は、色成分毎に、対象画素がリスク境界に隣接する暗画素であるか判断する。リスク境界に隣接する暗画素であるか否かは、フラグ信号Ｒｉｓｋ＿Ｅｄｇｅを参照して判断される。対象画素がリスク境界に隣接する暗画素であると判断された場合（Ｓ１００：ＹＥＳ）、映像処理回路３０は、処理をステップＳ１２０に移行する。対象画素がリスク境界に隣接する暗画素でないと判断された場合（Ｓ１００：ＮＯ）、映像処理回路３０は、処理をステップＳ１１０に移行する。
【００６４】
ステップＳ１１０において、映像処理回路３０は、リスク境界に隣接する暗画素でないと判断された色成分について、他の色成分がリスク境界に隣接する暗画素（以下「みなしリスク境界に隣接する画素」という）であるか判断する。対象画素がみなしリスク境界に隣接する暗画素であると判断された場合（Ｓ１１０：ＹＥＳ）、映像処理回路３０は、処理をステップＳ１３０に移行する。対象画素がみなしリスク境界に隣接する暗画素でないと判断された場合（Ｓ１１０：ＮＯ）、映像処理回路３０は、映像信号Ｖｉｄ−ｉｎに対し補正をせずに映像信号Ｖｉｄ−ｏｕｔを出力する。
【００６５】
ステップＳ１２０において、映像処理回路３０は、リスク境界に隣接する暗画素であると判断された色成分について、補正量を算出する。具体的には、既に説明したように、映像信号により示される階調値が所定の階調値Ｃｒｄになるように補正量を算出する。
【００６６】
ステップＳ１３０において、映像処理回路３０は、みなしリスク境界に隣接する暗画素であると判断された色成分について、補正量を算出する。この例で、みなしリスク境界に隣接する暗画素に対する補正は、リスク境界に隣接する暗画素に対する補正に基づいて行われる。具体的には、映像処理回路３０は、映像信号により示される階調値が所定の階調値Ｃｒｄより小さい場合は、補正後の階調値がＣｒｄになるように補正量を算出する。映像信号により示される階調値が階調値Ｃｒｄよりも大きい場合は、補正量はゼロである（補正をしない）。すなわち、複数の色成分のうち第１色成分において検出されたリスク境界が、第１色成分と異なる第２色成分において非リスク境界である場合、補正処理部３３は、第１色成分における補正処理に基づいて、補正後の階調値が第１色成分の補正後の階調値と等しくなるように、第２色成分における補正処理を行う。ただし、第２色成分における補正前の階調値が階調値Ｃｒｄよりも大きい場合、補正処理部３３は、補正を行わず、補正前の階調値をそのまま出力する。
【００６７】
ステップＳ１４０において、映像処理回路３０は、ステップＳ１２０またはＳ１３０により算出された補正量を、映像信号により示される階調値に加算する。こうして、映像信号が補正される。映像処理回路３０は、補正後の階調値に応じた映像信号を映像信号Ｖｉｄ−ｏｕｔとして出力する。なお、図１２は、１画素分の処理だけを示している。映像処理回路３０は、複数の画素の中から対象画素を順次特定し、特定された画素に対して図１２の処理を行う。
【００６８】
図１３は、本実施形態による補正処理の例を示す図である。この例で、画素Ａと画素Ｂとの境界が、色成分Ｇについてはリスク境界、色成分Ｒおよび色成分Ｂについてはみなしリスク境界である。補正前の画素Ｂのデータは、（Ｒ，Ｇ，Ｂ）＝（０，０，０）であり、これが、（Ｒ，Ｇ，Ｂ）＝（１００，１００，１００）に補正される。画素Ｂは、補正前後においてともに無彩色であり、補正の結果が視認されにくい。
【００６９】
図１４は、本実施形態による補正処理の別の例を示す図である。この例で、画素Ａと画素Ｂとの境界が、色成分Ｇについてはリスク境界、色成分Ｒおよび色成分Ｂについてはみなしリスク境界である。補正前の画素Ｂのデータは、（Ｒ，Ｇ，Ｂ）＝（５０，０，０）であり、画素Ｂは赤である。この場合、画素Ｂは、（Ｒ，Ｇ，Ｂ）＝（１００，１００，１００）に補正される。補正前は有彩色であったものが無彩色に補正されてしまうが、無彩色から有彩色に補正されるよりは補正の結果が視認されにくい。
【００７０】
なお、暗画素と明画素の関係が色成分により異なる場合、映像処理回路３０は、以下のように処理をする。例えば、補正前の画素Ａのデータが（Ｒ，Ｇ，Ｂ）＝（２５５，０，２５５）であり、補正前の画素Ｂのデータが（Ｒ，Ｇ，Ｂ）＝（０，２５５，０）である場合、色成分Ｒにおいては、画素Ａが明画素であり、画素Ｂが暗画素である。したがって、画素Ｂの色成分Ｒのデータが、０から１００に補正される。同様に、画素Ｂの色成分Ｂのデータが、０から１００に補正される。一方、色成分Ｇにおいては、画素Ａが暗画素であり、画素Ｂが明画素であるので、画素Ａの色成分Ｇのデータが、０から１００に補正される。補正後の画素Ａのデータは、（Ｒ，Ｇ，Ｂ）＝（２５５，１００，２５５）であり、補正後の画素Ｂのデータは、（Ｒ，Ｇ，Ｂ）＝（１００，２５５，１００）である。このとき、画素Ａおよび画素Ｂの色成分Ｂのデータは、補正前の階調値に応じて補正される。すなわち、補正前の色成分Ｂの階調値が所定の階調値Ｃｒｄ（この例では１００）よりも小さければ、階調値はＣｒｄに補正される。補正前の色成分Ｂの階調値が階調値Ｃｒｄよりも大きければ、階調値は補正されない。
【００７１】
２．第２実施形態
次に、第２実施形態について説明する。以下、第１実施形態と共通する事項についてはその説明を省略する。第１実施形態においては、１−１−２節で説明したリバースチルトの発生条件（１）〜（３）のうち、条件（１）および（２）を満たした画素について補正を行っていた。第２実施形態においては、さらに、リスク境界の動きについての条件も考慮して補正が行われる。
【００７２】
図１５は、第２実施形態に係る映像処理回路３０の構成を示す図である。映像処理回路３０は、遅延回路３１と、リスク境界検出部３２と、Ｄ／Ａ変換器３４〜３６と、フレームメモリー４１と、リスク境界検出部４２と、動き検出部４３と、補正処理部４４とを有する。
【００７３】
リスク境界検出部３２は、現フレーム（第ｋフレーム）の画像におけるリスク境界を検出する。第２実施形態においては、現フレームおよび前フレームの２つのフレームにおいてそれぞれリスク境界が検出される。そこで、現フレームにおけるリスク境界の有無を示すフラグ信号をＲｉｓｋ＿Ｅｄｇｅ（ｋ）、前フレームにおけるリスク境界の有無を示すフラグ信号をＲｉｓｋ＿Ｅｄｇｅ（ｋ−１）と表して区別する。また、フラグ信号Ｒｉｓｋ＿Ｅｄｇｅ（ｋ）およびＲｉｓｋ＿Ｅｄｇｅ（ｋ−１）は、色成分Ｒ、色成分Ｇ、および色成分Ｂを有する。特定の色成分のフラグ信号について説明する場合、フラグ信号の符号の末尾に色成分を示す符号（Ｒ、Ｇ、またはＢ）を付加する。特定の色成分によらない説明をする場合、フラグ信号の符号の末尾に色成分を示す符号は付加しない。例えば、第ｋフレームにおける対象画素の色成分Ｒについて、リスク境界に隣接する暗画素であると判断された場合、リスク境界検出部３２は、Ｈレベルのフラグ信号Ｒｉｓｋ＿Ｅｄｇｅ（ｋ）Ｒを出力する。あるいは、対象画素の色成分Ｒについて、リスク境界に隣接する暗画素でないと判断された場合、リスク境界検出部３２は、Ｌレベルのフラグ信号Ｒｉｓｋ＿Ｅｄｇｅ（ｋ）Ｒを出力する。他の色成分についても同様である。
【００７４】
フレームメモリー４１は、前フレーム（第（ｋ−１）フレーム）の画像データを記憶するメモリーである。リスク境界検出部４２は、前フレームにおいて、対象画素に対してチルト方位の上流に相当する画素（θｂ＝４５度の場合、左の画素または下の画素）がリスク境界に隣接する画素であったかを判断する。さらに具体的には、リスク境界検出部４２は、色成分毎に、
（ア）対象画素の左の画素（第ｉ行第（ｊ−１）列の画素）について、階調値が階調範囲ａ（図４）にあり、かつ、第ｉ行第（ｊ−２）列の画素または第（ｉ＋１）行第（ｊ−１）列の画素の階調値が階調範囲ｂにあるか、また、
（イ）対象画素の下の画素（第（ｉ＋１）行第ｊ列の画素）について、階調値が階調範囲ａ（図４）にあり、かつ、第（ｉ＋１）行第（ｊ−１）列の画素または第（ｉ＋２）行第ｊ列の画素の階調値が階調範囲ｂにある
か否かを判断する。
上記の（ア）および（イ）の少なくとも一方が満たされた場合、リスク境界検出部４２は、Ｈレベルのフラグ信号Ｒｉｓｋ＿Ｅｄｇｅ（ｋ−１）を出力する。（ア）および（イ）がどちらも満たされなかった場合、リスク境界検出部４２は、Ｌレベルのフラグ信号Ｒｉｓｋ＿Ｅｄｇｅ（ｋ−１）を出力する。
【００７５】
動き検出部４３は、リスク境界の前フレームからの動きを検出する。より具体的には、動き検出部４３は、現フレームにおけるリスク境界が、前フレームから所定の距離、移動したか否かを判断する。この例では、動き検出部４３は、現フレームにおけるリスク境界が、前フレームから１画素分、チルト方位の下流に移動したか否かを判断する。具体的には、動き検出部４３は、フラグ信号Ｒｉｓｋ＿Ｅｄｇｅ（ｋ）およびＲｉｓｋ＿Ｅｄｇｅ（ｋ−１）がともにＨレベルであった場合、現フレームにおける対象画素がリスク境界に隣接する明画素であり、リスク境界がチルト方位の下流方向に前フレームから１画素分、移動したと判断する。いずれかの色成分でリスク境界がチルト方位の下流方向に前フレームから１画素分移動したと判断された場合、動き検出部はＨレベルのフラグ信号Ｍｏｖｅ＿Ｅｄｇｅを出力する。すべての色成分においてリスク境界がチルト方位の下流方向に前フレームから１画素分移動したと判断しなかった場合、動き検出部はＬレベルのフラグ信号Ｍｏｖｅ＿Ｅｄｇｅを出力する。
【００７６】
補正処理部４４は、補正対象となる画素の映像信号Ｖｉｄ−ｄについて、リバースチルトが発生する可能性を低減させる補正を行う。より具体的には、補正処理部４４は、リスク境界検出部（現フレーム）３２により検出されたリスク境界のうち、動き検出部４３により検出された動きが決められた条件を満たしたリスク境界に対して、補正処理を行う。この例で、補正対象となる画素は、リスク境界に隣接する暗画素である。「決められた条件」とは、補正処理部４４に入力されるフラグ信号Ｒｉｓｋ＿ＥｄｇｅがＨレベルのとき、かつ、フラグ信号Ｍｏｖｅ＿ＥｄｇｅがＨレベルのとき、である。補正処理部４４により行われる補正は、暗画素の階調値を、所定の階調値Ｃｒｄにする処理である。さらに、補正処理部４４は、みなしリスク境界に隣接すると判断された色成分についても、リスク境界に隣接すると判断された色成分の補正に応じた補正を行う。具体的には、補正処理部３３は、補正後の階調値がリスク境界が検出された色成分の補正後の階調値と等しくなるように補正する。補正処理部３３は、補正された映像信号Ｖｉｄ−ｏｕｔを色成分毎に出力する。なお、補正対象とならない画素については、補正処理部３３は、映像信号Ｖｉｄ−ｄを補正せずに映像信号Ｖｉｄ−ｏｕｔとして出力する。また、補正処理部４４は、補正された映像信号Ｖｉｄ−ｏｕｔを色成分毎に出力する。補正対象とならない画素については、補正処理部４４は、映像信号Ｖｉｄ−ｄを補正せずに映像信号Ｖｉｄ−ｏｕｔとして出力する。
【００７７】
図１６は、第２実施形態に係る映像処理回路３０の動作を示すフローチャートである。ステップＳ２００において、映像処理回路３０は、色成分毎に、対象画素がリスク境界に隣接する暗画素であるか判断する。この判断は、フラグ信号Ｒｉｓｋ＿Ｅｄｇｅを参照して行われる。対象画素がリスク境界に隣接する暗画素であると判断された場合（Ｓ２００：ＹＥＳ）、映像処理回路３０は、処理をステップＳ２１０に移行する。対象画素がリスク境界に隣接する暗画素であると判断されなかった場合（Ｓ２００：ＮＯ）、映像処理回路３０は、処理をステップＳ２２０に移行する。
【００７８】
ステップＳ２１０において、映像処理回路３０は、リスク境界が前フレームから１画素分移動したか判断する。この判断は、フラグ信号Ｍｏｖｅ＿Ｅｄｇｅを参照して行われる。リスク境界が前フレームから１画素分移動したと判断された場合（Ｓ２１０：ＹＥＳ）、映像処理回路３０は、処理をステップＳ２４０に移行する。リスク境界が前フレームから１画素分移動したと判断されなかった場合（Ｓ２１０：ＮＯ）、映像処理回路３０は、映像信号を補正せずに映像信号Ｖｉｄ−ｏｕｔとして出力する。
【００７９】
ステップＳ２２０において、映像処理回路３０は、色成分毎に、対象画素がみなしリスク境界に隣接する暗画素であるか判断する。この判断は、フラグ信号ｃｏｍ＿Ｅｄｇｅを参照して行われる。対象画素がみなしリスク境界に隣接する暗画素であると判断された場合（Ｓ２２０：ＹＥＳ）、映像処理回路３０は、処理をステップＳ２３０に移行する。対象画素がみなしリスク境界に隣接する暗画素であると判断されなかった場合（Ｓ２２０：ＮＯ）、映像処理回路３０は、映像信号を補正せずに映像信号Ｖｉｄ−ｏｕｔとして出力する。
【００８０】
ステップＳ２３０において、映像処理回路３０は、リスク境界が前フレームから１画素分移動したか判断する。この判断は、フラグ信号Ｍｏｖｅ＿Ｅｄｇｅを参照して行われる。リスク境界が前フレームから１画素分移動したと判断された場合（Ｓ２３０：ＹＥＳ）、映像処理回路３０は、処理をステップＳ２４０に移行する。リスク境界が前フレームから１画素分移動したと判断されなかった場合（Ｓ２３０：ＮＯ）、映像処理回路３０は、映像信号を補正せずに映像信号Ｖｉｄ−ｏｕｔとして出力する。
【００８１】
ステップＳ２４０において、映像処理回路３０は、リスク境界またはみなしリスク境界に隣接する暗画素であると判断された色成分について、補正量を算出する。具体的には、映像処理回路３０は、映像信号により示される階調値が所定の階調値Ｃｒｄになるように補正量を算出する。
【００８２】
ステップＳ２５０において、映像処理回路３０は、ステップＳ２４０において算出された補正量を、映像信号により示される階調値に加算する。こうして、映像信号が補正される。映像処理回路３０は、補正後の階調値に応じた映像信号を映像信号Ｖｉｄ−ｏｕｔとして出力する。
【００８３】
本実施形態によれば、前フレームから１画素分、チルト方位の下流に移動したリスク境界に隣接する画素の階調値を補正する場合において、補正による色相の変化を抑制または視認されにくくすることができる。
【００８４】
３．変形例
本発明は上述の実施形態に限定されるものではなく、種々の変形実施が可能である。以下、変形例おいくつか説明する。以下の変形例のうち２つ以上のものが組み合わせて用いられてもよい。
【００８５】
リスク境界の判断条件は、実施形態で説明したものに限定されない。例えば、暗画素と明画素との電圧差の基準は、（Ｖｔｈ２−Ｖｔｈ１）以上であるものに限定されない。この条件に加え、前フレームにおける暗画素（現フレームにおける明画素）のデータ電圧がＶｃ１以下であるという条件が用いられてもよい。
【００８６】
補正処理の対象となる画素は、リスク境界またはみなしリスク境界に隣接する暗画素に限定されない。リスク境界に隣接する明画素に対し補正が行われてもよい。明画素に対する補正は、明画素の階調値を、所定の階調値Ｃｒｌにする処理である。例えば、ノーマリーホワイトモードの液晶を用いた場合など、高階調側で液晶分子の配向状態が不安定になる場合は、明画素の補正をした方が効果がある場合もある。また、リスク境界またはみなしリスク境界に隣接する暗画素および明画素の双方に対し補正を行ってもよい。この場合、補正後の階調値はＣｒｌ≧Ｃｒｄである。暗画素および明画素の双方で補正を行えば、どちらか一方のみで補正を行う場合と比較して、補正量を小さくすることができる場合がある。
【００８７】
リスク境界が検出されていない色成分における補正処理は、補正後の階調値を所定の階調値とするものに限定されない。補正前の階調値に対し、所定の補正量を加算または減算する処理が行われてもよい。
【００８８】
映像処理回路３０の構成は、図１０および図１５で例示したものに限定されない。例えば図１０の構成において、みなしリスク境界を示すフラグ信号ｃｏｍ＿Ｅｄｇｅは色成分毎に設けられず、すべての色成分の共通の単一のフラグ信号ｃｏｍ＿Ｅｄｇｅが用いられてもよい。また、図１５の例においては、前フレームの画像データをフレームメモリーに記憶するのではなく、前フレームのリスク境界の位置をフレームメモリーに記憶し、動き検出部４３はこれを参照してリスク境界の動きを検出してもよい。
【００８９】
図１７は、液晶表示装置１の別の構成例を示すブロック図である。この例で、制御回路１０は、３つの液晶パネル１００のそれぞれに対応して、３つの走査制御回路２０および３つの映像処理回路３０を有する。この例で、リスク境界検出部３２（またはリスク境界検出部４２）は、３色の色成分のうち一の色成分においてリスク境界を検出する。例えば、映像処理回路３０Ｒのリスク境界検出部３２は、色成分Ｒのデータにおいてリスク境界を検出する。映像処理回路３０は、他の色成分に対応する映像処理回路３０とリスク境界の検出結果を共有する。すなわち、一の映像処理回路３０は、他の映像処理回路３０におけるリスク境界の検出結果を取得する取得部を有し、また、リスク境界検出部３２における検出結果を他の映像処理回路に出力する結果出力部を有する。さらに、補正処理部３３（または補正処理部４４）は、一の色成分について補正処理を行う。なお図１７の例では、走査制御回路２０および映像処理回路３０を３つずつ設ける例を説明したが、制御回路１０は、単一の走査制御回路２０と３つの映像処理回路３０とを有していてもよい。
【００９０】
液晶１０５は、ＶＡ液晶に限定されない。ＴＮ液晶等、ＶＡ液晶以外の液晶が用いられてもよい。また、液晶分子のチルト角やチルト方位は、実施形態で説明したものに限定されない。チルト方位角が変わると、リスク境界に隣接するかどうかを判定する画素の位置が変わる。例えば、チルト方位角θｂが２２５°である場合、着目画素の下隣りおよび左隣りの画素について、リスク境界に隣接する画素かどうか判定される。
【００９１】
液晶表示装置１を用いた電子機器としては、プロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タブレット端末等などが挙げられる。そして、これらの各種の電子機器に対して、上記液晶表示装置が適用されてもよい。
【符号の説明】
【００９２】
１…液晶表示装置、１０…制御回路、２０…走査制御回路、３０…映像処理回路、３１…遅延回路、３２…リスク境界検出部、３３…補正処理部、３４…Ｄ／Ａ変換器、４１…フレームメモリー、４２…リスク境界検出部、４３…動き検出部、４４…補正処理部、１００…液晶パネル、１０５…液晶、１０８…コモン電極、１１１…画素、１１２…走査線、１１４…データ線、１１５…容量線、１１６…ＴＦＴ、１１８…画素電極、１２０…液晶素子、１２５…保持容量、１３０…走査線駆動回路、１４０…データ線駆動回路
【図１】
2013145325.tif 000003
【図２】
2013145325.tif 000004
【図３】
2013145325.tif 000005
【図４】
2013145325.tif 000006
【図５】
2013145325.tif 000007
【図６】
2013145325.tif 000008
【図７】
2013145325.tif 000009
【図８】
2013145325.tif 000010
【図９】
2013145325.tif 000011
【図１０】
2013145325.tif 000012
【図１１】
2013145325.tif 000013
【図１２】
2013145325.tif 000014
【図１３】
2013145325.tif 000015
【図１４】
2013145325.tif 000016
【図１５】
2013145325.tif 000017
【図１６】
2013145325.tif 000018
【図１７】
2013145325.tif 000019